(57)【特許請求の範囲】
【請求項１】
ケースと、前記ケース内に組み込まれる骨伝導デバイス本体とで構成され、前記骨伝導デバイス本体は、円形のベースを有していてその上にボイスコイルとマグネットを担持するベースヨークと、前記ベースヨークの磁極上面との間に必要な間隙を保持して配置され、ネジを用いることなく前記ケースの内面において保持される平板状のフロントヨークと、前記ケース内に設置されて前記ベースヨークを支持して前記間隙を保持する弾性体とから成り、前記弾性体は、前記ベースの周縁部に沿って一対設置される円弧状の弾性材製であることを特徴とする骨伝導デバイス。
【請求項２】
ケースと、前記ケース内に組み込まれる骨伝導デバイス本体とで構成され、前記骨伝導デバイス本体は、円形のベースを有していてその上にボイスコイルとマグネットを担持するベースヨークと、前記ベースヨークの磁極上面との間に必要な間隙を保持して配置され、ネジを用いることなく前記ケースの内面において保持される平板状のフロントヨークと、前記ケース内に設置されて前記ベースヨークを支持して前記間隙を保持する弾性体とから成り、前記弾性体は、その内周側が前記ベースヨークに取り付けられ、その外周側が前記ケースの内側面に固定された、紙、プラスチック又は薄手の金属板製ダンパーであることを特徴とする骨伝導デバイス。
【請求項３】
前記フロントヨークは、前記ケースの内面に設けたヨーク収納部内に嵌装固定される請求項１又は２に記載の骨伝導デバイス。
【発明の詳細な説明】
【技術分野】
【０００１】  本発明は骨伝導デバイス、より詳細には、音声信号を骨導音として伝達するタイプのスピーカ又はマイクロホンであって、薄手で漏えい磁束の少ない高性能な骨伝導デバイスに関するものである。なお、骨伝導マイクロホンは実質的に骨伝導スピーカと同じ構成となるので、以下骨伝導スピーカとして説明する内容は、そのまま骨伝導マイクロホンについても当てはまる。
【背景技術】
【０００２】  骨伝導スピーカとしては、図６及び図７に示すような、ボイスコイル２３を巻装する中央磁極２２を有する下側ヨーク２１を設け、下側ヨーク２１を４方向に延長し、その延長部分の内の相対する２部分にそれぞれマグネットを配置すると共に、他の２部分に上側ヨーク固定部２５を立設し、上側ヨーク固定部２５に上側ヨーク２６の振動板２７を固定して成るものが知られている（特許第２９６７７７７号）。【０００３】  上側ヨーク２６は、磁気回路の一部である肉厚のプレートヨーク２８と、可撓性のある肉薄の振動板２７とから成るが、十分な性能を確保するために、振動板２７の面積をできるだけ大きく取ることが要請される。全体サイズを大きくすることなくこの要請に応えるためには、プレートヨーク２８を小さく、幅狭に形成せざるを得ない。【０００４】  しかし、プレートヨーク２８を小さく幅狭なものとした場合は磁気漏れが起こりやすくなり、補聴器等に利用した場合に悪影響を及ぼすおそれがある。【０００５】  また、振動を人体に伝達するためにケース２９に収装するに当たっては、ネジ３０をプレートヨーク２８に設けたネジ孔３１にネジ込むことによってケース２９の内面にプレートヨーク２８を固定するが、そのネジ止めの際に微鉄粉が生じやすい。その微鉄粉は、上側ヨーク２６と中央磁極２２の上面とで作る間隙に入り込んで、異常音発生の原因となるおそれがある。更に、そのネジ止めのために、ケース２９の肉厚は十分厚いものとする必要がある関係上、ケース２９の全体厚を抑えることができず、ケース２９の薄型化の要請に応えることができない。
【特許文献１】特許第２９６７７７７号公報
【発明の開示】
【発明が解決しようとする課題】
【０００６】  本発明は、上記のような従来の骨伝導デバイスの有する問題点を解決するためになされたもので、構成簡易で薄型に形成でき、しかも漏えい磁束が少なくて性能のよい骨伝導デバイスを提供することを課題とする。
【課題を解決するための手段】
【０００７】
上記課題を解決するための請求項１に係る発明は、ケースと、前記ケース内に組み込まれる骨伝導デバイス本体とで構成され、前記骨伝導デバイス本体は、円形のベースを有していてその上にボイスコイルとマグネットを担持するベースヨークと、前記ベースヨークの磁極上面との間に必要な間隙を保持して配置され、ネジを用いることなく前記ケースの内面において保持される平板状のフロントヨークと、前記ケース内に設置されて前記ベースヨークを支持して前記間隙を保持する弾性体とから成り、前記弾性体は、前記ベースの周縁部に沿って一対設置される円弧状の弾性材製であることを特徴とする骨伝導デバイスである。
【０００８】
上記課題を解決するための請求項２に係る発明は、ケースと、前記ケース内に組み込まれる骨伝導デバイス本体とで構成され、前記骨伝導デバイス本体は、円形のベースを有していてその上にボイスコイルとマグネットを担持するベースヨークと、前記ベースヨークの磁極上面との間に必要な間隙を保持して配置され、ネジを用いることなく前記ケースの内面において保持される平板状のフロントヨークと、前記ケース内に設置されて前記ベースヨークを支持して前記間隙を保持する弾性体とから成り、前記弾性体は、その内周側が前記ベースヨークに取り付けられ、その外周側が前記ケースの内側面に固定された、紙、プラスチック又は薄手の金属板製ダンパーであることを特徴とする骨伝導デバイスである。
【０００９】
好ましくは、前記フロントヨークは、前記ケースの内面に設けたヨーク収納部内に嵌装固定される。
【発明の効果】
【００１０】  本発明に係る骨伝導デバイスは、ボイスコイルとマグネットを担持するベースヨークに弾性体又はダンパーが取り付けられ、この弾性体又はダンパーによってベースヨークの磁極上面とフロントヨークとの間の間隙が保持される構造のため、フロントヨークに肉厚部と肉薄部とを設ける必要がない。そのため、肉厚部と肉薄部を形成することに伴って発生する磁気漏れが少なく、この骨伝導デバイスを用いた補聴器等に悪影響を及ぼすことが回避される。【００１１】  また、全体的に構成簡易で薄くコンパクトに形成することができ、比較的低コストにて供給することが可能となる。しかも、ネジを用いずに組立てることができるので、微鉄粉等の塵埃が発生するおそれがなく、長期に亘りその性能を維持し得る効果がある。
【発明を実施するための最良の形態】
【００１２】  本発明の好ましい実施の形態を添付図面に依拠して説明する。図１乃至図４は、本発明の第１の実施形態を示すものである。それは、マグネット４をボイスコイル３の外側に配した外磁型のものであって、中央磁極２を有するベースヨーク１と、中央磁極２を取り巻くボイスコイル３と、ボイスコイル３を挟んでその両側に配置される一対のマグネット４と、弾性体６を介してベースヨーク１上に配置されるフロントヨーク５とで構成される。【００１３】  ベースヨーク１のベース７は通例円形とされる。弾性体６はゴム、プラスチック等の弾性資材製で、通例、ベース７周縁に沿った円弧状のものとして形成され、ベース７上に固定されたマグネット４、４間に配置される。ベース７への弾性体６の取り付けは、例えば、弾性体６の内周面に差込溝８を形成し、そこにベース７の周縁部を嵌合し、必要に応じ、接着して固定する方法によることが好ましい。【００１４】  弾性体６、６上に配置されるフロントヨーク５は、通例、ベースヨーク１のベース７と同径ないしほぼ同径とされる。従って、弾性体６、６は、フロントヨーク５から少し外にはみ出る。ベースヨーク１の中央磁極２の上面とフロントヨーク５との間には、適当な間隙が保持されるが、この間隙保持は、ベースヨーク１とフロントヨーク５が上記のようにして弾性体６、６に組み付けられることによって達成される。【００１５】  図４は、本骨伝導デバイスのケース１０内への組込み例を示すものである。ケース１０は２つ割りタイプで、その一半部１０ａに薄肉化された、フロントヨーク５を収めるためのヨーク収納部１１が形成される。骨伝導デバイスは、通例、そのフロントヨーク５をヨーク収納部１１に収めることによりケース１０の一半部１０ａに装填され、その後、他半部１０ｂが被せられて弾性体６、６が強く挟み付けられることにより保持される。【００１６】  上記骨伝導デバイスのケース１０内組込みに際しては、必要に応じてフロントヨーク５とヨーク収納部１１間を接着し、また、弾性体６と一半部１０ａ及び他半部１０ｂとの当接面を接着する。その場合、各接着部の接着面積は広く取れるので、十分な接着力を以て確実に固定することが可能となる。本発明の場合は、このようにネジ止めを伴わないため、ネジ止めにおける微鉄粉発生のような問題を起こさないだけでなく、ケース１０の薄型化も可能となる。【００１７】  本発明に係る骨伝導デバイスは、従来のものと同様の原理で動作するが、上述したようなシンプルな構成であって、フロントヨーク５の振動は弾性体６によって支持されるため、フロントヨーク５に可撓性を有する肉薄部を設ける必要がない。従って、磁気漏れは少なくなり、補聴器等に使用した場合に磁気的に悪影響を及ぼすことがない。また、漏えい磁束が少ないということは、磁束を効率よく有効利用できるということであり、そのために、本発明の場合はマグネット４は小さなもので足りることになり、その分コストを抑えることができる。【００１８】  図５に示す実施形態は、ベースヨーク１の支持、換言すれば、中央磁極２の上面とフロントヨーク５との間の間隙保持を、上記実施形態における弾性体６に代えて、ダンパー１３で行なうようにしたものである。【００１９】  ダンパー１３は、紙、プラスチック又は薄手の金属板製で、適度なたわみを保持できるものである。ダンパー１３は、その中央部がベースヨーク１のベース７の上面又は下面に固定され（図５では上面に固定されている）、その周縁部がケース１０の内周面に固定される。その周縁部の固定は、ケース１０の一半部１０ａと他半部１０ｂの合接部に周縁部を狭持させることによって行なうことができる（図５参照）。【００２０】  本発明は、マグネット４をボイスコイル３の内側に配置する内磁型の電磁石を用いた骨伝導デバイスについても適用できることはいうまでもない。【００２１】  この発明をある程度詳細にその最も好ましい実施態様について説明してきたが、この発明の精神と範囲に反することなしに広範に異なる実施態様を構成することができることは明白なので、この発明は添付請求の範囲において限定した以外はその特定の実施態様に制約されるものではない。
【図面の簡単な説明】
【００２２】［図１］本発明に係る骨伝導デバイスの一実施形態の平面図である（フロントヨークを除いてある）。
［図２］図１におけるＡ−Ａ線端面図である（フロントヨークを付加してある）。
［図３］図１におけるＢ−Ｂ線端面図である（フロントヨークを付加してある）。
［図４］本発明に係る骨伝導デバイスの一実施形態のケース組込み状態図である。
［図５］本発明に係る骨伝導デバイスの他の実施形態のケース組込み状態図である。
［図６］従来の骨伝導デバイスの構成例を示す縦断面図である。
［図７］従来の骨伝導デバイスの構成例における上側ヨークを示す図である。
【図１】
0004163231.tif 000002
【図２】
0004163231.tif 000003
【図３】
0004163231.tif 000004
【図４】
0004163231.tif 000005
【図５】
0004163231.tif 000006
【図６】
0004163231.tif 000007
【図７】
0004163231.tif 000008